(57)【要約】【課題】放送波の受信状態が悪い場所に移動した場合でも、デジタルテレビ放送を一定品質で受信できるようにすることである。【解決手段】無線通信部１５は、無線網からデジタルテレビ放送のデータを受信し、受信したデータをメモリに格納する。制御部１６は、ＴＶチューナ部１４で受信した放送波のデータと、無線通信部１５で受信したデータを比較し、放送波のデータに欠落がある場合には、無線網のデータで補完する。【選択図】      図１
2009182923.tif 000002
【特許請求の範囲】
【請求項１】
放送網からデジタルテレビ放送を受信する第１のデジタル放送受信手段と、
無線通信網からデジタルテレビ放送を受信する第２のデジタル放送受信手段と、
前記第１のデジタル放送受信手段で受信した第１のデジタル放送データと前記第２のデジタル放送受信手段で受信した第２のデジタル放送データとを比較し、欠落部分を前記第２のデジタル放送データにより補完する制御手段とを備える移動体デジタルテレビ受信機。
【請求項２】
前記第１のデジタル放送データと前記第２のデジタル放送データの映像データと音声データをそれぞれ一定のデータ単位毎に映像バッファと音声バッファに格納し、
前記制御手段は、前記映像バッファと音声バッファに格納されている前記第１のデジタル放送データと前記第２のデジタル放送データの映像及び音声データとを比較し、欠落している部分を、前記映像バッファと音声バッファに格納されている前記第２のデジタル放送データの該当する映像及び音声データで補完する請求項１記載の移動体デジタルテレビ受信機。
【請求項３】
前記第２のデジタル放送受信手段は、携帯電話の無線基地局から送信される音声信号と前記第２のデジタル放送データを受信する請求項１または２記載の移動体デジタルテレビ受信機。
【発明の詳細な説明】
【技術分野】
【０００１】
本発明は、移動体デジタルテレビ受信機に関する。
【背景技術】
【０００２】
ＧＰＳ機能のないテレビ受信機能を有する携帯電話を用いて、車で移動中にテレビ番組を視聴するためには、１つの放送エリアから次の放送エリアに移動するときに、テレビ受信機のチャンネルの周波数を、次の放送エリアで受信可能な放送局の周波数に変更する必要がある。その場合、予め放送局の周波数を示す放送局リストを用意しておくか、受信可能な放送局をスキャンして放送局の設定を行う必要がある。番組を視聴しながら移動している場合には、移動先の地域で同じ番組を放送している放送局を自動的に受信でれば便利である。
【０００３】
特許文献１には、テレビ受信機付き携帯電話において、無線基地局と通信して電子番組表を取得し、電子番組表を用いてデジタル放送受信に必要な選局情報を取得することが記載されている。
【０００４】
特許文献２には、携帯型デジタル放送受信端末が、移動体通信網を介して放送局の選局情報を取得することが記載されている。
特許文献３には、インターネット受信機能を有するテレビ受信機において、テレビジョン信号を受信している状態で、電話回線による接続状態をテレビ受信機の画面上で確認できるようにすることが記載されている。
【０００５】
ところで、テレビ受信機能付携帯電話を利用してデジタルテレビ放送を受信しながら移動している場合に、放送電波の受信レベルが低い場所を通過すると、デジタル放送データの一部が欠落して画像品質が劣化してしまうことがある。
【特許文献１】特開２００５−２６９１４号公報
【特許文献２】特開２００４−２８２３５０号公報
【特許文献３】特開平１０−８４５１１号公報
【発明の開示】
【発明が解決しようとする課題】
【０００６】
本発明の課題は、放送波の受信状態が悪い場所に移動した場合でも、デジタルテレビ放送を一定品質で受信できるようにすることである。
【課題を解決するための手段】
【０００７】
本発明の移動体デジタルテレビ受信機は、放送網からデジタルテレビ放送を受信する第１のデジタル放送受信手段と、無線通信網からデジタルテレビ放送を受信する第２のデジタル放送受信手段と、前記第１のデジタル放送受信手段で受信した第１のデジタル放送データと前記第２のデジタル放送受信手段で受信した第２のデジタル放送データとを比較し、欠落部分を前記第２のデジタル放送データにより補完する制御手段とを備える。
【０００８】
この発明によれば、無線通信網から受信する第２のデジタル放送データにより、放送局から受信する第１のデジタル放送データを補完することができるので、放送波の受信状態が悪い場所に移動した場合でも、デジタルテレビ放送を一定品質で受信することができる。
【０００９】
上記の移動体デジタルテレビ受信機において、前記第１のデジタル放送データと前記第２のデジタル放送データの映像データと音声データをそれぞれ一定のデータ単位毎に映像バッファと音声バッファに格納し、前記制御手段は、前記映像バッファと音声バッファに格納されている前記第１のデジタル放送データと前記第２のデジタル放送データの映像及び音声データとを比較し、欠落している部分を前記映像バッファと音声バッファに記憶されている前記第２のデジタル放送データの該当する映像及び音声データで補完する。
【００１０】
このような構成を有することで、放送局から受信した映像及び音声データの欠落部分を、無線網から受信したデータで補完することができる。
【発明の効果】
【００１１】
本発明によれば、放送波の受信状態が悪い場所に移動した場合でも、デジタル放送データを一定品質で受信することができる。
【発明を実施するための最良の形態】
【００１２】
以下、本発明の好適な実施の形態について説明する。図１は、実施の形態の移動体デジタルテレビ受信機（例えば、テレビ機能付携帯電話）の回路構成を示す図である。
移動体デジタルテレビ受信機１１は、デジタル放送信号の受信用のアンテナ１２と、無線信号の送受信用のアンテナ１３と、ＴＶチューナ部１４と、無線通信部１５と、制御部１６からなる。
【００１３】
ＴＶチューナ部１４は、アンテナ１２で受信される第１のデジタル放送データから映像と音声データを抽出し、一定のデータ単位（一定時間に受信したデータ、あるいは一定容量のデータ）で図示しないメモリに格納する。
【００１４】
無線通信部１５は、無線基地局から送信され、アンテナ１３で受信される第２のデジタル放送データから映像と音声データを抽出し、一定のデータ単位でメモリに格納する。無線通信部１５は音声通信にも使用される。
【００１５】
制御部１６は、ＴＶチューナ部１４で受信された映像及び音声データと、無線通信部１５で受信された映像及び音声データを一定のデータ単位で比較し、データ抜けがあった場合には、ＴＶチューナ部１４で受信された映像及び音声データを、無線通信部１５で受信された映像及び音声データで補完する。
【００１６】
図２は、放送網の放送エリアと無線網の無線エリアを示す図である。図２に斜線の円で示す領域２１は放送エリアを示し、五角形の領域２２は携帯電話の無線基地局の電波を送受信できる無線エリアを示している。図２に示すように携帯電話の無線エリアは、放送エリアより細かく設定されているので、放送波の受信状態が悪い場所でも無線基地局からの無線信号を受信することができる。
【００１７】
図３は、移動体デジタルテレビ受信機１１の動作を示すフローチャートである。
ＴＶチューナ部１４は、デジタルテレビ放送の放送波データを受信し（図３、Ｓ１１）、データの区分け及び並べ変えを行う（Ｓ１２）。放送局から受信した放送波データは、映像、音声及びその他のデータに分離され、例えば、映像バッファ、音声バッファ、データバッファにそれぞれ格納される。
【００１８】
これと並行して無線通信部１５は、無線網からデジタルテレビ放送のデータを受信し（Ｓ１３）、データの区分け及び並べ変えを行う（Ｓ１４）。無線網から受信したデータも映像、音声及びその他のデータに分離され、映像バッファ、音声バッファ、データバッファにそれぞれ格納される。
【００１９】
図４は、放送局から受信する放送波データと無線網から受信するデータを格納するバッファの構成の一例を示す図である。
放送局から受信する放送波データを格納する放送波バッファ３１は、複数の映像データを格納する映像バッファ３１ａと、複数の音声データを格納する音声バッファ３１ｂと、その他のデータを格納するデータバッファ３１ｃからなる。
【００２０】
無線網から受信するデータ（ＭＰＥＧ２−ＴＴＳ）を格納する無線網バッファ３２は、複数の映像データを格納する映像バッファ３２ａと、複数の音声データを格納する音声バッファ３２ｂと、その他のデータを格納するデータバッファ３２ｃとからなる。
【００２１】
放送波の映像バッファ３１ａの映像データを、無線網の映像バッファ３２ａの映像データで補完した映像データは、映像バッファ３１ａに格納される。同様に、無線網の音声データで補完した音声データは、音声バッファ３１ｂに格納され、他の補完データはデータバッファ３１ｃに格納される。
【００２２】
図３に戻り、一定期間または一定容量毎に、放送局から受信した放送波データと、無線網から受信したデータパケットを比較して、データの抜けがないかどうかを調べる（Ｓ１５）。ステップＳ１５の処理では、例えば、放送波の映像バッファ３１ａに格納されている一定期間または一定容量の映像データと、無線網の映像バッファ３２ａに格納されている一定期間または一定容量の映像データを比較し、映像データの抜けがないかどうかを調べる。
【００２３】
データ抜けがある場合には、放送局から受信した放送波のデータを、無線網から受信したデータで補完し、補完したデータをバッファに格納する（Ｓ１６）。
図５は、データの補完の説明図である。図５に示すように放送波の映像バッファ３１ａに映像データＡ、Ｂ、Ｃ、Ｅ、Ｇが格納され、無線網の映像バッファ３２ａに映像データＡ、Ｂ、Ｃ、Ｄ、Ｅ、Ｆが格納されているとする。
【００２４】
制御部１６は、放送波の映像バッファ３１ａの映像データと、無線網の映像バッファ３２ａの映像データを比較して、映像バッファ３１ａのデータが、映像データＤと映像データＦが欠落していることを検出すると、無線網の映像バッファ３２ａに格納されている映像データＤと映像データＦを、放送波の映像バッファ３１ａの該当する位置にコピーする。
【００２５】
図３に戻り、補完したデータを用いて映像バッファ、音声バッファの各データを再生する（Ｓ１７）。
上述した実施の形態の形態によれば、例えば、車で移動中に放送電波が受信しにくい場所にきた場合でも、無線網から受信するデジタルテレビ放送のデータにより放送波のデータを補完することでデジタルテレビ放送を一定品質で視聴することができる。
【００２６】
本発明は上述した実施の形態に限らず、以下のように構成しても良い。
（１）携帯電話の無線基地局からデジタルテレビ放送のデータを受信する場合に限らず、無線ＬＡＮ等の他の無線網からデータを受信しても良い。
【図面の簡単な説明】
【００２７】
【図１】実施の形態の移動体デジタルテレビ受信機の構成を示す図である。
【図２】放送網と無線網を示す図である。
【図３】移動体デジタルテレビ受信機の動作を示すフローチャートである。
【図４】放送波バッファと無線網バッファの構成を示す図である。
【図５】データ補完の説明図である。
【符号の説明】
【００２８】
１１          移動体デジタルテレビ受信機
１２、１３    アンテナ
１４          ＴＶチューナ部
１５          無線通信部
１６          制御部
【図１】
2009182923.tif 000003
【図３】
2009182923.tif 000004
【図４】
2009182923.tif 000005
【図５】
2009182923.tif 000006
【図２】
2009182923.tif 000007